(57)【要約】【課題】ＨＵＤの表示像と実風景とのずれや違和感を生じる様々な要因に対して、ＨＵＤの表示像を適切に表示する。【解決手段】車載表示制御装置は、車両の運転者に対して表示すべき情報を運転者の視界前方において認識される虚像からなる表示像として表示するＨＵＤを制御する。この車載表示制御装置は、挙動関連制御、環境関連制御、及び身体能力関連制御の少なくとも何れかの制御を実行するように構成されている。挙動関連制御は、車両の挙動を表す情報に基づいてＨＵＤの表示像の表示態様を調節する制御である。環境関連制御は、外部環境の性状を現す情報に基づいてＨＵＤの表示像の表示態様を調節する制御である。身体能力関連制御は、運転者の身体能力を表す情報に基づいてＨＵＤの表示像の表示態様を調節する制御である。【選択図】  図１
2018058544.tif 000002
【特許請求の範囲】
【請求項１】
車両に搭載され、運転者に対して表示すべき情報を前記運転者の視界前方において認識される虚像からなる表示像として表示するヘッドアップディスプレイ（２８）を制御するための車載表示制御装置（１０）であって、
前記車両の前方の実風景に存在する物体の絶対座標系における位置を表す情報を取得するように構成された空間情報取得部（Ｓ１００）と、
前記運転者の眼の位置を表す情報を取得するように構成された視点情報取得部（Ｓ１２０）と、
前記空間情報取得部により取得された物体の位置と、前記視点情報取得部により取得された眼の位置とに基づいて、前記運転者の視界において特定の対象物に前記表示像が重畳して表示されるように、前記表示像を投影する位置を少なくとも含む前記表示像の表示態様を決定するように構成された表示制御部（Ｓ１３０〜Ｓ１６０）と、
前記表示制御部によって決定された表示態様に従って、前記ヘッドアップディスプレイに前記表示像を形成させるように構成された出力部（Ｓ１７０）とを備え、
前記表示制御部は、前記車両の挙動を表す情報に基づいて前記表示像の表示態様を調節する制御である挙動関連制御、外部環境の性状を現す情報に基づいて前記表示像の表示態様を調節する制御である環境関連制御、及び、前記運転者の身体能力を表す情報に基づいて前記表示像の表示態様を調節する制御である身体能力関連制御の少なくとも何れかの制御を実行するように構成されている、
車載表示制御装置。
【請求項２】
前記表示制御部は、前記挙動関連制御として、前記車両の姿勢を表す車両回転角に基づいて、実風景に対する前記車両の相対的な位置及び姿勢を推定し、その推定された相対的な位置及び姿勢に基づいて前記表示像の位置を補正するように構成されている、
請求項１に記載の車載表示制御装置。
【請求項３】
前記表示制御部は、前記挙動関連制御において、前記車両回転角のピッチ方向の変動の周波数成分を取得し、所定の下限周波数より低い周波数を示すピッチの変動については、前記表示像の位置の補正に反映しないように構成されている、
請求項２に記載の車載表示制御装置。
【請求項４】
前記表示制御部は、前記挙動関連制御において、前記車両回転角の変動の周波数成分を取得し、所定の上限周波数より高い周波数を示す車両回転角の変動については、前記表示像の位置の補正に反映しないように構成されている、
請求項２又は請求項３に記載の車載表示制御装置。
【請求項５】
前記表示制御部は、前記環境関連制御として、前記特定の対象物である地表面の形状の歪みを認識し、認識された地表面の歪みに合わせて前記表示像の形状を変更する補正をするように構成されている、
請求項１ないし請求項４の何れか１項に記載の車載表示制御装置。
【請求項６】
前記表示制御部は、前記環境関連制御において、前記表示像の形状を所定の許容範囲内の度合で歪ませる補正をするように構成されており、
前記所定の許容範囲は、前記運転者の視界における所定の基準位置から前記表示像の位置までの距離に応じて可変に設定されている、
請求項５に記載の車載表示制御装置。
【請求項７】
前記表示制御部は、前記環境関連制御として、外部環境の明るさや、色、天気を認識し、認識された外部環境に応じて前記表示像の色を補正するように構成されている、
請求項１ないし請求項６の何れか１項に記載の車載表示制御装置。
【請求項８】
前記表示制御部は、前記環境関連制御において、外部環境について視界不良と認識した場合、前記運転者の視界において風景を補填する図柄からなる前記表示像を表示させるように構成されている、
請求項７に記載の車載表示制御装置。
【請求項９】
前記表示制御部は、前記身体能力関連制御として、前記運転者の視力を表す情報を取得し、前記運転者の視力に応じて、前記運転者の眼の位置から前記表示像までの距離を調節するように構成されている、
請求項１ないし請求項８の何れか１項に記載の車載表示制御装置。
【請求項１０】
前記表示制御部は、前記表示像を移動させる制御を行う際、残像表現を付加するように構成されている、
請求項１ないし請求項９の何れか１項に記載の車載表示制御装置。
【請求項１１】
前記表示制御部は、前記ヘッドアップディスプレイの表示可能範囲の外縁部に前記表示像が移動可能な所定の余地を残した範囲内に前記表示像の初期位置を設定するように構成されている、
請求項１ないし請求項１０の何れか１項に記載の車載表示制御装置。
【請求項１２】
前記表示制御部は、前記表示像の表示態様を所定の制御周期ごとに更新する処理を行うように構成されており、前記処理の遅れが発生した場合には、その時点における前記表示像の更新を行わないように構成されている、
請求項１ないし請求項１１の何れか１項に記載の車載表示制御装置。
【発明の詳細な説明】
【技術分野】
【０００１】
本開示は、車両に搭載されるヘッドアップディスプレイによる表示を制御する車載表示制御装置に関する。
【背景技術】
【０００２】
従来、自動車の運転者の前方視界に虚像による表示像を形成することにより、運転者の視線の先に情報を表示する、いわゆるヘッドアップディスプレイ（以下、ＨＵＤ）が知られている。この種のＨＵＤの実用例として、車両のウインドシールド越しに見える実風景に情報を重ねて表示することで、運転者が認識する実風景を拡張する、いわゆる拡張現実（すなわち、ＡＲ）がある。例えば、交差点において自車両が進むべき進路方向を示す矢印等の図柄を、実風景の道路の形状に合わせて表示させたり、運転者が見ていない道路標識に対して強調表示を施すことで、注意を喚起するといったものがある。
【０００３】
しかしながら、車両内において運転者の顔の位置は必ずしも固定された位置にあるわけではない。運転者の顔の位置が変化することで、運転者の視界において実風景とＨＵＤの表示像との位置にずれが生じてしまい、重畳表示の利点を活かせない場合がある。さらには、ＨＵＤの表示像が適切な位置に表示されないことで、運転者に違和感や誤解を与えるといった問題が生じることがある。
【０００４】
上述のような問題に対して、特許文献１には、運転者の眼の位置を検出し、運転者の眼の位置と道路上の誘導経路とを結ぶ直線状に表示像を結像させることにより、ＨＵＤの表示像を適切な位置に表示する技術が開示されている。
【先行技術文献】
【特許文献】
【０００５】
【特許文献１】特開平７−２５７２２８号公報
【発明の概要】
【発明が解決しようとする課題】
【０００６】
しかしながら、ＨＵＤの表示像が実風景とずれて表示される要因は、運転者の顔の位置に関するものだけに限らない。例えば、車両の挙動の急激な変化や外部環境の性状、運転者の身体能力等に関する様々な要因によって、ＨＵＤの表示像と実風景とのずれが生じる可能性がある。また、これらの要因によりＨＵＤの表示像と実風景との不適合が生じ、運転者が違和感を覚える場合もある。
【０００７】
本開示は、上述の問題を解決するためになされたものである。本開示は、ＨＵＤの表示像と実風景とのずれや違和感を生じる様々な要因に対して、ＨＵＤの表示像を適切に表示するための技術を提供する。
【課題を解決するための手段】
【０００８】
本開示の一態様に係る車載表示制御装置（１０）は、車両の運転者に対して表示すべき情報を運転者の視界前方において認識される虚像からなる表示像として表示するヘッドアップディスプレイ（２８）を制御するものである。この車載表示制御装置は、空間情報取得部（Ｓ１１０）と、視点情報取得部（Ｓ１２０）と、表示制御部（Ｓ１３０〜Ｓ１６０）と、出力部（Ｓ１７０）とを備える。なお、この欄及び特許請求の範囲に記載した括弧内の符号は、一つの態様として後述する実施形態に記載の具体的手段との対応関係を示すものであって、本開示の技術的範囲を限定するものではない。
【０００９】
空間情報取得部は、車両の前方の実風景に存在する物体の絶対座標系における位置を表す情報を取得するように構成されている。視点情報取得部は、運転者の眼の位置を表す情報を取得するように構成されている。表示制御部は、物体の位置の情報と眼の位置の情報とに基づいて、運転者の視界において特定の対象物に表示像が重畳して表示されるように、表示像を投影する位置を少なくとも含む表示像の表示態様を決定するように構成されている。出力部は、表示制御部によって決定された表示態様に従って、ヘッドアップディスプレイに表示像を形成させるように構成されている。
【００１０】
また、表示制御部は、挙動関連制御、環境関連制御、及び身体能力関連制御の少なくとも何れかの制御を実行するように構成されている。挙動関連制御は、車両の挙動を表す情報に基づいて表示像の表示態様を調節する制御である。環境関連制御は、外部環境の性状を現す情報に基づいて表示像の表示態様を調節する制御である。身体能力関連制御は、運転者の身体能力を表す情報に基づいて表示像の表示態様を調節する制御である。
【００１１】
本開示に係る車載表示制御装置によれば、ＨＵＤの表示像と実風景とのずれや違和感を生じ得る様々な要因に応じて、表示像の表示態様を調節することができる。これにより、ＨＵＤにおける表示像の不適合や違和感を低減できる。
【図面の簡単な説明】
【００１２】
【図１】実施形態の車載表示システム構成を表すブロック図。
【図２】表示制御処理の手順を表すフローチャート。
【図３】周辺監視装置の視界、運転者の視界、ＨＵＤ投影面、ＨＵＤ表示面の関係を表す説明図。
【発明を実施するための形態】
【００１３】
以下、本開示の実施形態を図面に基づいて説明する。なお、本開示は下記の実施形態に限定されるものではなく様々な態様にて実施することが可能である。
［車載表示システムの構成の説明］
実施形態の車載表示システムの構成について、図１を参照しながら説明する。この車載表示システムは、ＨＵＤを用いて運転者に情報を提示するシステムであり、車両１に搭載されている。図１に例示されるとおり、車載表示システムは、車載表示制御装置１０と、この車載表示制御装置１０に接続される各部を含んで構成されている。車載表示制御装置１０には、周辺監視装置１２、視点検出部１８、視力検出部２０、車両挙動検出部２２、位置検出部２４、地図情報取得部２６、及びヘッドアップディスプレイプロジェクタ（以下、ＨＵＤプロジェクタ）２８が接続される。
【００１４】
車載表示制御装置１０は、図示しないＣＰＵ、ＲＡＭ、ＲＯＭ、フラッシュメモリ等の半導体メモリ、入出力インタフェース等を中心に構成された情報処理装置である。具体的には、車載表示制御装置１０は、ＨＵＤプロジェクタ２８によって自動車の運転者の前方視界に虚像による表示像を形成することにより、車両１の運転席前方に設けられたウインドシールド越しに運転者が見る実風景に情報を重ねて表示する機能を有する。
【００１５】
車載表示制御装置１０は、例えば、コンピュータシステムとしての機能が集約されたマイクロコントローラ等により具現化される。車載表示制御装置１０の機能は、ＣＰＵがＲＯＭや半導体メモリ等の非遷移的実体的記憶媒体に格納されたプログラムを実行することにより実現される。なお、車載表示制御装置１０を構成するマイクロコントローラの数は１つでも複数でもよい。また、車載表示制御装置１０の機能を実現する手法はソフトウェアに限るものではなく、その一部又は全部の要素を論理回路やアナログ回路等を組合せたハードウェアを用いて実現してもよい。
【００１６】
周辺監視装置１２は、車両１の前方風景を認識するための光学的あるいは電磁的なセンサである。この周辺監視装置１２は、例えば、カメラ１４及びレーダ１６により構成される。カメラ１４は、車両１のウインドシールド越しに見える前方領域を撮影し、撮影された画像のデータを車載表示制御装置１０に出力する。レーダ１６は、カメラ１４の撮影範囲と共通の前方領域に向けて電波やレーザ光を発信し、その反射波を受信することにより対象物の有無や対象物までの距離を検出するセンサである。また、カメラ１４やレーダ１６の他に、赤外線センサや超音波センサ等の対物センサを周辺監視装置１２として用いてもよい。
【００１７】
視点検出部１８は、運転者の眼の位置を測定する機能を有するセンサである。視点検出部１８としては、例えば、赤外線カメラにより運転者の眼を撮像し、撮像された眼の画像から画像処理により、車両座標系における運転者の眼の位置の座標を測定する機能を有するカメラシステム等を適用することができる。
【００１８】
視力検出部２０は、運転者の視力の状態を計測する装置である。視力検出部２０の具体例としては、赤外線カメラとコンピュータにより運転者の顔画像を認識する周知のドライバステータスモニタ（以下、ＤＳＭ）と連携し、オートレフラクトメータの機能を実装することが考えられる。オートレフラクトメータとは、被験者の眼に赤外線光を当て、眼の屈折状態や、近視・遠視・乱視等の有無や度合いを自動的にコンピュータで解析して計測する周知の計測機器である。
【００１９】
車両挙動検出部２２は、車両１の挙動を表す物理量を検出するためのセンサである。この車両挙動検出部２２は、ジャイロスコープ、サスペンションストロークセンサ、車高センサ、車輪速センサ、加速度センサ等によって構成される。位置検出部２４は、ＧＰＳ受信機や、ジャイロスコープ、車速センサ等による検出結果に基づき、車両１の現在地を検出するためのものである。
【００２０】
地図情報取得部２６は、地形や道路形状等を絶対座標系の座標で表した情報が含まれた地形データを取得し、その取得された地形データを車載表示制御装置１０に出力する。地図情報取得部２６により取得される地形データは、車両１に搭載された地図情報記憶媒体に収録されているものであってもよいし、外部装置との通信により取得されるものであってもよい。
【００２１】
ＨＵＤプロジェクタ２８は、運転者に対して表示すべき情報を構成する光をウインドシールドに投射し、運転者の前方視界に虚像による表示像を形成する表示装置である。このＨＵＤプロジェクタ２８は、例えば、投影される画像情報を表示する表示パネルが、投影面としてのウインドシールドに直接対面する構造のものや、表示パネルからミラーやレンズ等からなる光学系を介して画像情報を投影する構造のものなどが適宜利用できる。
【００２２】
本実施形態において、車載表示制御装置１０は、周辺監視装置１２により認識された物体の位置と、運転者の眼の位置と基づいて、運転者の視界において特定の対象物にＨＵＤの表示像が重畳して表示されるように、表示像を投影する位置を制御する。その際、次の（１）〜（７）の要因に関して、ＨＵＤの表示像を適切に表示するための制御を行うように構成されている。
【００２３】
（１）車両の挙動に関する要因
ＨＵＤは車両に取付けられた機構において表示されるものであるため、車両のピッチやロール、ヨー等の急激な変化が発生した場合に、表示像のぶれ等に起因するＨＵＤ酔い等の悪影響を運転者に与えるおそれがある。このような悪影響は、ＨＵＤの表示像の焦点距離が遠距離である場合に顕著である。このような問題は、ウインドシールド越しに見える実風景に対して運転者の視線が合っている状態から、そこに重畳表示されていたＨＵＤの表示像が突発的にずれることにより、運転者の脳において違和感として認識されることに起因すると推測される。
【００２４】
（２）重畳対象物のばらつきに関する要因
例えば、道路面上に走行レーンの区分等を表す図柄を重畳表示するケースにおいて、道路面に凸凹等のばらつきや歪みあることにより、ＨＵＤの表示像の形状と実風景内の重畳対象物の形状とが適合せず、表示のずれが発生する場合がある。このように、重畳対象物の形状の歪みに起因してＨＵＤの表示像と実風景とのずれが生じ、ＨＵＤ酔い等を誘発するおそれがある。
【００２５】
（３）車両の挙動への人の適応に関する要因
車両の挙動の変化について、例えば、勾配が一定の坂路やバンクを走行する時のように、定常的な姿勢変化に対して運転者が姿勢を合わせるなどして適応可能な場合、上記（１）の要因における挙動の変化とは区別してＨＵＤの表示態様を調節する必要がある。
【００２６】
（４）ＨＵＤの表示像と環境の性状との相性に関する要因
ＨＵＤの表示像は、風景内に半透過的に表示されるものであるため、例えば、天気、環境光の色・明るさ、重畳対象物の色、見通し等の周辺環境の性状によって、見栄えが揺らぐという問題がある。
【００２７】
（５）運転者の身体能力に関する要因
運転者の身体能力に個人差があることによって、ＨＵＤの表示像の見え方に差が生じる場合がある。例えば、運転者の身体能力の一つとしての視力に関して、運転者が近視傾向であるか遠視傾向であるかによって、ＨＵＤの表示像を結像させる適切な焦点距離が異なるという問題がある。
【００２８】
（６）対策の不完全性に対する配慮
上記（１）〜（５）の要因に対する対策を行うシステムには処理限界があるため、対策が不完全であることを前提とした工夫が肝要である。
【００２９】
（７）処理負荷に軽減に関する配慮
上記（１）〜（５）の要因に対する対策を行う処理は、一度の処理でも複数回の座標変換を伴うものであり、また、頻繁に発生する可能性があることから、システムの処理負荷が高くなるという問題がある。このような高い処理能力を実現するシステムは、高コストであるという問題に直結するため、処理負荷を軽減するための工夫が肝要である。
【００３０】
［表示制御処理の手順の説明］
車載表示制御装置１０のＣＰＵがプログラムに従って実行する表示制御処理の手順について、図２のフローチャートを参照しながら説明する。この表示制御処理は、所定の制御周期ごとに繰返し実行される。
【００３１】
Ｓ１００では、車載表示制御装置１０は、周辺監視装置１２の視点位置からの前風景の三次元情報を取得する。具体的には、車載表示制御装置１０は、図３に例示されるように、周辺監視装置１２の視点位置（すなわち、設置位置）を基準とする視野である視野空間Ａについて、絶対座標系における三次元対象物の座標を取得する。
【００３２】
三次元対象物の絶対座標系の座標を取得する方法としては次のようにする。第１の方法として、車載表示制御装置１０は、周辺監視装置１２により取得されたカメラの画像情報やレーダの検出情報に基づいて視野空間Ａにおける座標を算出する。第１の方法では、車両挙動検出部２２と連携して、ピッチ、ロール、ヨーの変動が発生してない状態で周辺監視装置１２により取得された情報と、周辺監視装置１２の地上高及び取付角度等を表す既知のパラメータとを用いて、視野空間Ａにおける座標を算出する。なお、車両１のピッチが変化している場合であっても、その変動の周波数が規定位置以下である場合、ピッチの変動は発生していないものとして、第１の方法による座標の算出の対象とする。
【００３３】
第２の方法として、車載表示制御装置１０は、地図情報取得部２６により取得された現在地周辺の地形データに基づいて視野空間Ａにおける座標を算出する。この地形データは、地形や道路等の対象物が絶対座標系の座標で記録されていることを前提とする。そして、車載表示制御装置１０は、取得された地形データで表される座標と、位置検出部２４により検出された車両１の現在地の座標と、周辺監視装置１２の地上高及び取付角度等を表す既知のパラメータとを用いて、視野空間Ａにおける座標を算出する。
【００３４】
ただし、上記第２の方法では、車両等の移動物に関する三次元情報は取得できない。そのため、車両等の移動物を対象にＨＵＤの表示像を重畳表示することが前提となる場合、基本的には上記第１の方法を適用するものとする。また、上記第１の方法においては、移動物も観測対象となり得ることを考慮し、ピッチ、ロール、ヨー等の変動が発生して観測対象外となる時間の座標は、観測されている過去の複数の時間の座標から予測するものとする。
【００３５】
図２のフローチャートの説明に戻る。Ｓ１０１では、車載表示制御装置１０は、Ｓ１００において周辺監視装置１２により取得された情報について、環境の性状を解析する。具体的には、車載表示制御装置１０は、カメラの画像情報に対する画像処理により、環境光の明るさや色、天気（例えば、降雨・降雪）、重畳対象物の色（例えば、車両の色）、重畳対象物の視認性を認識する。なお、Ｓ１０１は、上述の「（３）ＨＵＤの表示像と環境の性状との相性に関する要因」への対策に関連する処理である。
【００３６】
Ｓ１１０では、車載表示制御装置１０は、Ｓ１００において取得された三次元情報に基づいて、特定の重畳対象物に重畳して表示すべき表示像の視野空間Ａにおける位置及び形状を表す重畳形状Ａ１を特定する。具体的には、車載表示制御装置１０は、周辺監視装置１２により取得された前風景の情報から、例えば道路上に標示された区分線や、前方車両、道路標識等の特定の重畳対象物を検出する。そして、検出された重畳対象物に対応する表示像が、周辺監視装置１２の視点から見て重畳対象物の位置に重なるように、視野空間Ａの座標系における表示像の位置及び形状を重畳形状Ａ１として特定する。
【００３７】
Ｓ１２０では、車載表示制御装置１０は、視点検出部１８により取得された情報に基づいて、運転者の視点位置として眼の位置を取得する。具体的には、車載表示制御装置１０は、例えば、視点検出部１８を構成する赤外線カメラの取付位置や車両１内の所定位置を基準とする相対座標系における座標として運転者の視点位置を取得する。
【００３８】
Ｓ１２１では、車載表示制御装置１０は、視力検出部２０による検出結果に基づいて、運転者の視力を表す情報を取得する。具体的には、車載表示制御装置１０は、運転者の視力を表す情報として、近視・遠視・乱視等の有無や度合いや、眼の屈折状態を取得する。なお、Ｓ１２１は、上述の「（５）運転者の身体能力に関する要因」への対策に関連する処理である。なお、時々刻々変化する視力の変化への対応を省略するのであれば、Ｓ１２１の処理を周期的に行う必要はなく、最初の一度のみ実施するように構成してもよい。また、視力検出部２０により視力を実測する代わりに、予め登録されている運転者の視力の情報を読出して取得するように構成してもよい。
【００３９】
Ｓ１３０では、車載表示制御装置１０は、Ｓ１１０において特定された重畳形状Ａ１について、運転者の視野空間Ｂに対応する重畳形状Ａ２を取得する。視野空間Ｂとは、図３に例示されるように、運転者の始点位置Ｅを基準とする視野である。具体的には、車載表示制御装置１０は、Ｓ１１０において特定された重畳形状Ａ１の座標を、Ｓ１２０において取得された運転者の視点位置を基準とする座標系に座標変換することで、視野空間Ｂにおける表示像の位置及び形状を表す重畳形状Ａ２を算出する。この座標変換は、例えば、周知のビュー変換の手法を用いることが考えられる。ビュー変換とは、図形を見る視点の位置を三次元空間中の別の場所に移して、そこから見た図形を表現するための図法であり、図形を視点の位置と方向から見た座標系（すなわち、視点座標系）に移す座標変換である。具体的には、平行変換行列を用いて図形の位置を視点の座標に合わせて平行移動させる座標変換と、回転変換行列を用いて図形を視点に向けて回転させる座標変換との組み合せからなる。この座標変換により、運転者の視点から見てＨＵＤの表示像が重畳対象物に重畳されて表示されるように重畳形状Ａ２が特定される。
【００４０】
Ｓ１４０では、車載表示制御装置１０は、重畳対象物に重ねて表示される表示像と併せて表示する表示枠の、投影面空間Ｃにおける位置及び形状を取得する。この表示枠は、重畳対象物の変位に合わせて表示像を表示可能な所定の範囲を表す枠であり、表示像を囲むようにして描画されるものである。なお、投影面空間Ｃとは、図３に例示されるように、車両１のウインドシールド３０上において、ＨＵＤプロジェクタ２８から出力される映像光が投影される範囲に割当てられた座標系である。
【００４１】
Ｓ１５０では、車載表示制御装置１０は、Ｓ１３０において取得された重畳形状Ａ２について、投影面空間Ｃに対応する重畳形状Ａ３を取得する。具体的には、車載表示制御装置１０は、運転者の視点位置と重畳形状Ａ２とを結ぶ投影線に沿って重畳形状Ａ２の座標をウインドシールド上に割当てられた二次元座標系に座標変換することで、投影面空間Ｃにおける表示像の位置及び形状を表す重畳形状Ａ３を算出する。この座標変換は、例えば、周知の透視投影により、３点座標を持つ重畳形状Ａ２を二次元座標系の仮想面上に投影する手法を用いることが考えられる。透視投影とは、三次元の物体を見たとおりに二次元平面上に描画するための図法であり、物体の見かけの大きさが距離に反比例する。具体的には視点を原点とし、視線がｘｙ平面に垂直なｚ軸上の負の方向を向いているとした場合、（ｘ，ｙ，ｚ）の位置にある点は、視点から−Ａの位置にある前方向の（−Ａｘ／ｚ，−Ａｙ／ｚ）の位置に投影される。なお、このＳ１５０において、車載表示制御装置１０は、以下に説明するＳ１５１，Ｓ１５２，Ｓ１５３の各処理を実行することにより、重畳形状Ａ３について表示態様を補正するように構成されている。
【００４２】
Ｓ１５１では、車載表示制御装置１０は、重畳対象物の歪みを重畳形状Ａ３の表示態様に反映する。なお、Ｓ１５１は、上述の「（２）重畳対象物のばらつきに関する要因」への対策に関連する処理である。具体的には次のようにする。
【００４３】
例えば、道路の走行レーンを区分する区分線に対して、ＨＵＤの表示像を重畳表示する事例について説明する。道路整備の観点において、道路上に標示する区分線は、走行レーンに沿って走行する車両の挙動を急変させないために、直線やクロソイド曲線等を用いて急峻な変化が発生しないように描かれているのが一般的である。このような区分線に対して重畳表示されるＨＵＤの表示像も、直線やクロソイド曲線等からなる予め決められた図形を運転者の視点に合わせた形状に変換した表現とするのが一般的である。
【００４４】
しかしながら、区分線等が標示されている道路面は、必ずしも綺麗な平面であるとは限らず、凸凹があったり歪んだりすることがある。そのような場合、実風景とＨＵＤの表示像との間で位置や形状のずれが発生するおそれがある。そこで、車載表示制御装置１０は、レーダ、カメラ、超音波センサ、赤外線センサ等を用いて地表面の形状を認識する。その地表面に許容値を超える歪みや形状のばらつきがある場合には、地表面に重畳表示する重畳形状Ａ３を、地表面の歪みやばらつきに合わせて変形させる。こうすることにより、地表面に歪みやばらつきがある場合でも、実風景と適合したＨＵＤの表示が継続される。
【００４５】
ただし、重畳対象物の歪みの程度が甚だしい場合、その重畳対象物の歪みに合わせてＨＵＤの表示像を変形させることで、情報としての意味合いを失う状態にまで歪みが酷くなるという問題がある。そのような問題への対策として、ＨＵＤの表示像に対して歪みの上限を設定するということが考えられる。しかしながら、単に歪みの上限を設定するだけでは、実風景と表示像とのズレが発生するという問題が再発することになる。
【００４６】
そこで、運転者の視点位置から車両進行方向へと向かう線と、地平線とが交差する点を基準点とし、この基準点からの距離に応じて、徐々に歪みの上限を大きくするようにする。このようにすることで、運転者の視野の中心付近においてＨＵＤの情報を的確に伝達しつつ、運転者の視野の周辺においては実風景とＨＵＤ表示像とのずれを低減することができる。
【００４７】
Ｓ１５２では、車載表示制御装置１０は、環境の性状を重畳形状Ａ３の表示態様に反映する。なお、Ｓ１５２は、上述の「（４）ＨＵＤの表示像と環境の性状との相性に関する要因」への対策に関連する処理である。具体的には次のようにする。
【００４８】
車載表示制御装置１０は、Ｓ１０１における環境情報の解析結果に応じて、重畳形状Ａ３の表示態様を補正する。具体的には、重畳対象物の色を判別し、ＨＵＤの表示像の色を当該重畳対象物とは異なる色にしてコントラストを強調する。例えば、重畳対象物が白色の車両であれば、ＨＵＤの表示像の色を黄色にする。また、黄色の車両に対して警告を表す情報を重畳する場合には、ＨＵＤの表示像に黄色を使用せず、黄色の補色等の他の色を使用する。
【００４９】
また、車載表示制御装置１０は、環境光の色や天気を判別し、ＨＵＤの表示像の色を環境に合わせて調節する。例えば、降雪時においては、本来の白色の表示を他の色に変更する。また、夕焼け等により環境光が赤く見える場合、ＨＵＤの表示像に赤みを加えることでリアル感を演出する。
【００５０】
さらには、車載表示制御装置１０は、環境情報の解析結果から重畳対象物の視認性が悪いと判断した場合には、ＨＵＤの表示像により重畳対象物そのもの形状を模擬した表示を行うように構成されていてもよい。このようにすることで、重畳対象物の視認性を補完することができる。具体的には、降雨や霧等により視界が悪い状況において、走行レーンの区分線がある前提でＨＵＤの重畳表示を行う場合には、走行レーンそのものを模擬した表示を行うことが考えられる。このようにすることで、視界の良否に極力影響されずにＨＵＤによる効果的な拡張現実を実現できる。
【００５１】
Ｓ１５３では、車載表示制御装置１０は、ＨＵＤの表示像の移動表現に関する対策を行う。なお、Ｓ１５３は、上述の「（６）対策の不完全性に対する配慮」に関連する処理である。具体的には次のようにする。
【００５２】
システムの処理限界のため対策が不完全であるという前述の問題に対して、その不完全性を補完する処理を行うことで、問題を軽減することが可能となる。例えば、ＨＵＤの表示像の位置を、動的かつリアルタイムに人間が認知できる以上の速いリフレッシュレートで補正するということが理想ではあるが、システムによってはそのような高速な処理を実現できないことがある。そのような場合には、車載表示制御装置１０は、表示制御処理全体を実現可能な周期で実施するようにし、それに加えて、ＨＵＤの表示像を移動させる際に残像表現を加える。このようにすることで、ＨＵＤの表示像の移動を滑らかな動きとして運転者に知覚させることができ、ドライバの目への負担を軽減するという効果も期待できる。
【００５３】
また、ＨＵＤによる表示が可能な領域が有限である状況において、表示像の位置を移動させるということは、移動によって表示像が表示可能な領域から見切れてしまう可能性がある。そこで、車載表示制御装置１０は、ＨＵＤの表示可能領域の外周部分に表示像が見切れないための余地となる余裕部分を設定し、その余裕部分を除いた表示可能領域内に収まるようにＨＵＤの表示像の基となる重畳形状Ａ３を生成する。このようにすることで、ＨＵＤの表示像の移動が発生しても見切れを発生しづらくすることができる。
【００５４】
また、ＨＵＤの表示において重畳対象物への追従が間に合わない程の移動等が突発的に発生することが考えられる。そこで、車載表示制御装置１０において遅れを検出する判定手段を設け、遅れが発生することが検出された場合は、その回は表示そのものを更新しないという対策を行うことも有効である。
【００５５】
Ｓ１６０では、車載表示制御装置１０は、Ｓ１５０において取得された重畳形状Ａ３について、ＨＵＤプロジェクタ２８の表示面空間Ｄに対応する表示形状Ｃ４を取得する。表示面空間Ｄとは、図３に例示されるように、ＨＵＤプロジェクタ２８の表示パネルにおける画像表示領域に割当てられた二次元座標系である。具体的には、車載表示制御装置１０は、投影面空間Ｃの曲率やＨＵＤプロジェクタ２８の光学経路の屈折率等の特性に応じて、重畳形状Ａ３の二次元座標を表示面空間Ｄの二次元座標系に座標変換することで、表示面空間Ｄにおける表示像の位置及び形状を表す表示形状Ｃ４を算出する。この座標変換は、例えば、投影面空間Ｃ及び画像表示領域の２平面間の変換行列を用いて演算される。なお、このＳ１６０において、車載表示制御装置１０は、以下に説明するＳ１６１，Ｓ１６２，Ｓ１６３の各処理を実行することにより、表示形状Ｃ４について表示態様を補正するように構成されている。
【００５６】
Ｓ１６１では、車載表示制御装置１０は、車両１の挙動の変化を表示形状Ｃ４の表示態様に反映する。なお、Ｓ１６１は、上述の「（１）車両の挙動に関する要因」への対策に関連する処理である。具体的には次のようにする。
【００５７】
車載表示制御装置１０は、車両挙動検出部２２やカメラ１４、レーダ１６により取得された情報に基づいて、車両１のピッチ角、ロール角、ヨー角等の車両回転角を計測する。そして、計測された車両回転角と、車輪速センサや加速度センサ等の検出結果とを併用して、車両１の実風景に対する相対的な位置を推定する。そして、車載表示制御装置１０は、推定された相対的な位置に基づいて補正前の表示形状Ｃ４による表示像と実風景とのずれ量を推定し、このずれ量を修正する。このようにすることで、車両１において一時的な挙動が発生しても、実風景とマッチしたＨＵＤの表示が維持される。
【００５８】
Ｓ１６２では、車載表示制御装置１０は、Ｓ１６１の処理について運転者の適応要因を反映する。なお、Ｓ１６２は、上述の「（３）車両の挙動への人の適応に関する要因」への対策に関連する処理である。具体的には次のようにする。
【００５９】
一定の勾配が連続する登坂や降坂を走行しているときのように、車両のピッチが定常的に傾いている場合には、運転者はその勾配に対して姿勢を合わせることにより適応することができる。これにより、実際には車両がピッチ方向に傾いた状態であっても、運転者の視野はピッチ角０度の状態と変わらないようにすることができる。このため、上述のＳ１６１において全てのピッチの変化に対して必ずしもＨＵＤの表示像の表示態様を補正する必要があるわけではない。
【００６０】
そこで、車載表示制御装置１０は、ピッチ角の時間的推移を周波数成分として解析し、所定の下限周波数域に対応するハイパスフィルタ処理を施す。これにより、車載表示制御装置１０は、ハイパスフィルタの周波数域より低い緩やかなピッチの変化に対しては、表示形状Ｃ４の補正の対象外とする。このようにすることで、緩やかなピッチの変化に対する運転者の適応を、ＨＵＤの表示像の表示態様に反映させることができる。
【００６１】
Ｓ１６３では、車載表示制御装置１０は、Ｓ１６１の処理について処理負荷を低減するための対策を実施する。なお、Ｓ１６３は、上述の「（７）処理負荷に軽減に関する配慮」に関連する処理である。具体的には次のようにする。
【００６２】
ＨＵＤによる拡張現実は人間が視覚で認識するものであるため、人間が点滅を認識可能な周波数の限界値（例えば、３０〜５０Ｈｚ程度）を越える周波数域の挙動変化については、表示形状Ｃ４の補正を行わないようにする。
【００６３】
具体的には、車載表示制御装置１０は、ピッチ角、ロール角、ヨー角等の車両姿勢の時間的推移を周波数成分として解析し、所定の上限周波数域に対応するローパスフィルタ処理を施す。これにより、車載表示制御装置１０は、人間が認識できない周波数域の挙動変化に対しては、表示形状Ｃ４の補正の対象外とする。このように、人間が認識できない不要な挙動変化に対する処理を省略することで、処理負荷を低減することができる。あるいは、運転者がＨＵＤの表示像を周辺視野においてさえも捕捉できない状況においては、車載表示制御装置１０が表示態様の補正やＨＵＤの表示そのものを止めるように構成してもよい。これは処理負荷や消費電力の低減という観点で有効である。
【００６４】
Ｓ１７０では、車載表示制御装置１０は、Ｓ１６０において取得された表示形状Ｃ４をＨＵＤプロジェクタ２８の表示パネルに出力する。これにより、ＨＵＤプロジェクタ２８からウインドシールド３０に表示形状Ｃ４が投影され、運転者の視界前方において認識される表示像が形成される。なお、このＳ１７０において、車載表示制御装置１０は、以下に説明するＳ１７１の処理を実行することにより、表示形状Ｃ４について表示態様を補正するように構成されている。
【００６５】
Ｓ１７１では、車載表示制御装置１０は、運転者の視力の測定結果を表示形状Ｃ４の表示態様に反映する。なお、Ｓ１７１は、上述の「（５）運転者の身体能力に関する要因」への対策に関連する処理である。具体的には次のようにする。
【００６６】
車載表示制御装置１０は、Ｓ１２１において取得された運転者の視力の情報に基づき、視力の良否や、近視・遠視・乱視等の屈折異常の度合に応じて、運転者からのＨＵＤの表示像との距離の遠近や、ＨＵＤの表示像の輝度を調節する。このようにすることで、運転者ごとの視力の個人差や、同一の運転者において疲労等により視力が時々刻々と変化する状況への対応も可能である。
【００６７】
［効果］
実施形態の車載表示システムによれば、以下の効果を奏する。
車載表示制御装置１０によれば、ＨＵＤの表示像と実風景とのずれや違和感を生じ得る様々な要因として、車両の挙動や、外部環境の性状、運転者の身体能力等の状況に応じて、ＨＵＤの表示像の表示態様を調節することができる。これにより、ＨＵＤにおける表示像の不適合や違和感を低減できる。
【００６８】
［特許請求の範囲に記載の構成との対応］
実施形態の各構成と、特許請求の範囲に記載の構成との対応は次のとおりである。
車載表示制御装置１０が実行するＳ１００の処理が、空間情報取得部としての処理の一例に相当する。車載表示制御装置１０が実行するＳ１２０の処理が、視点情報取得部としての処理の一例に相当する。車載表示制御装置１０が実行するＳ１１０，Ｓ１３０，Ｓ１５０〜Ｓ１５３，Ｓ１６０〜Ｓ１６３，Ｓ１７１の処理が、表示制御部としての処理の一例に相当する。車載表示制御装置１０が実行するＳ１７０の処理が、出力部としての処理の一例に相当する。
【００６９】
また、車載表示制御装置１０が実行するＳ１６１の処理が、挙動関連制御の一例に相当する。車載表示制御装置１０が実行するＳ１０１，Ｓ１５１，Ｓ１５２の処理が、環境関連制御の一例に相当する。車載表示制御装置１０が実行するＳ１２１，Ｓ１７１の処理が、身体能力関連制御の一例に相当する。
【００７０】
［変形例］
上記各実施形態における１つの構成要素が有する機能を複数の構成要素に分担させたり、複数の構成要素が有する機能を１つの構成要素に発揮させたりしてもよい。また、上記各実施形態の構成の一部を省略してもよい。また、上記各実施形態の構成の少なくとも一部を、他の上記実施形態の構成に対して付加、置換等してもよい。なお、特許請求の範囲に記載の文言から特定される技術思想に含まれるあらゆる態様が、本開示の実施形態である。
【００７１】
上述した車載表示制御装置１０を構成要件とするシステム、車載表示制御装置１０としてコンピュータを機能させるためのプログラム、このプログラムを記録した半導体メモリ等の非遷移的実態的記録媒体、表示制御方法等の種々の形態で本開示を実現することもできる。
【符号の説明】
【００７２】
１…車両、１０…車載表示制御装置、１２…周辺監視装置、１４…カメラ、１６…レーダ、１８…視点検出部、２０…視力検出部、２２…車両挙動検出部、２４…位置検出部、２６…地図情報取得部、２８…ヘッドアップディスプレイプロジェクタ、３０…ウインドシールド。
【図１】
2018058544.tif 000003
【図２】
2018058544.tif 000004
【図３】
2018058544.tif 000005